(57)【要約】【課題】年表の表示モードをズームアウト表示モードとズームイン表示モードとの間で切り替えたとき、視覚的にシームレスな遷移状態が実現され、同一の事象や対象に係る年表としての一体感が得られるとともに、各ズームレベルの年表デザインの対応関係を容易に認識できるようにする。【解決手段】ズームイン表示モードからズームアウト表示モードに切り替える場合、遷移状態として、ズームイン表示用の年表データによる各要素（要素６ａ〜６ｈなど）のレイヤーに対してズームアウト表示用の年表データによる各要素（要素５ａ，５ｂ，５ｃ）のレイヤーを重ね合わせた状態の画面を表示する。このとき、ズームアウト表示用の年表データによる各要素は半透明にして、透明度を低減させていき、ズームイン表示用の年表データによる各要素は最終的に消去する。ズームアウト表示モードからズームイン表示モードに切り替える場合も、同様とする。【選択図】図８
2008077479.tif 000002
【特許請求の範囲】
【請求項１】
軸上に位置づけられる各区間に関連する要素をテーブルとして表示する方法であって、
第１のテーブルデータによって表示画面の所定領域内に相対的に短い区間および当該の区間に関連する要素をテーブル画面として表示する第１の表示モード、および第２のテーブルデータによって前記所定領域内に相対的に長い区間および当該の区間に関連する要素をテーブル画面として表示する第２の表示モード、のうちの指定された方の表示モードによってテーブル画面を表示するとともに、
前記第１の表示モードと前記第２の表示モードとの間で表示モードを切り替えるとき、遷移表示モードとして、前記所定領域内に、前記第１のテーブルデータによるレイヤーと前記第２のテーブルデータによるレイヤーとを、少なくとも一方は半透明にして重ね合わせた状態のテーブル画面を表示することを特徴とするテーブル表示方法。
【請求項２】
請求項１のテーブル表示方法において、
前記半透明のレイヤーの透明度を、連続的または段階的に変化させることを特徴とするテーブル表示方法。
【請求項３】
軸上に位置づけられる各区間に関連する要素をテーブルとして表示するように情報を処理する装置であって、
表示画面の所定領域内に相対的に短い区間および当該の区間に関連する要素をテーブル画面として表示するための第１のテーブルデータ、および前記所定領域内に相対的に長い区間および当該の区間に関連する要素をテーブル画面として表示するための第２のテーブルデータを保持する記憶手段と、
この記憶手段に保持されているテーブルデータを処理して、前記所定領域内にテーブル画面を表示する処理手段と、
前記第１のテーブルデータによって前記所定領域内にテーブル画面を表示する第１の表示モード、および前記第２のテーブルデータによって前記所定領域内にテーブル画面を表示する第２の表示モード、のうちの指定された方の表示モードによってテーブル画面を表示するとともに、前記第１の表示モードと前記第２の表示モードとの間で表示モードを切り替えるときには、遷移表示モードとして、前記所定領域内に、前記第１のテーブルデータによるレイヤーと前記第２のテーブルデータによるレイヤーとを、少なくとも一方は半透明にして重ね合わせた状態のテーブル画面を表示するように、前記記憶手段からのデータ読み出し、および前記処理手段によるデータ処理を制御する制御手段と、
を備えることを特徴とする情報処理装置。
【請求項４】
請求項３の情報処理装置において、
前記制御手段は、前記半透明のレイヤーの透明度を、連続的または段階的に変化させることを特徴とする情報処理装置。
【請求項５】
軸上に位置づけられる各区間に関連する要素をテーブルとして表示するように情報を処理する装置であって、
外部ネットワークに接続して外部ネットワーク上から、表示画面の所定領域内に相対的に短い区間および当該の区間に関連する要素をテーブル画面として表示するための第１のテーブルデータ、および前記所定領域内に相対的に長い区間および当該の区間に関連する要素をテーブル画面として表示するための第２のテーブルデータを取得するインタフェース手段と、
このインタフェース手段によって取得されたテーブルデータを処理して、前記所定領域内にテーブル画面を表示する処理手段と、
前記第１のテーブルデータによって前記所定領域内にテーブル画面を表示する第１の表示モード、および前記第２のテーブルデータによって前記所定領域内にテーブル画面を表示する第２の表示モード、のうちの指定された方の表示モードによってテーブル画面を表示するとともに、前記第１の表示モードと前記第２の表示モードとの間で表示モードを切り替えるときには、遷移表示モードとして、前記所定領域内に、前記第１のテーブルデータによるレイヤーと前記第２のテーブルデータによるレイヤーとを、少なくとも一方は半透明にして重ね合わせた状態のテーブル画面を表示するように、前記インタフェース手段によるデータ取得、および前記処理手段によるデータ処理を制御する制御手段と、
を備えることを特徴とする情報処理装置。
【請求項６】
請求項５の情報処理装置において、
前記制御手段は、前記半透明のレイヤーの透明度を、連続的または段階的に変化させることを特徴とする情報処理装置。
【請求項７】
軸上に位置づけられる各区間に関連する要素をテーブルとして表示するためにコンピュータを、
第１のテーブルデータによって表示画面の所定領域内に相対的に短い区間および当該の区間に関連する要素をテーブル画面として表示する第１の表示モード、および第２のテーブルデータによって前記所定領域内に相対的に長い区間および当該の区間に関連する要素をテーブル画面として表示する第２の表示モード、のうちの指定された方の表示モードによってテーブル画面を表示する手段、および、
前記第１の表示モードと前記第２の表示モードとの間で表示モードを切り替えるとき、遷移表示モードとして、前記所定領域内に、前記第１のテーブルデータによるレイヤーと前記第２のテーブルデータによるレイヤーとを、少なくとも一方は半透明にして重ね合わせた状態のテーブル画面を表示する手段、
として機能させるテーブル表示用プログラム。
【発明の詳細な説明】
【技術分野】
【０００１】
この発明は、時間軸などの軸上に位置づけられる各区間に関連する要素を、年表などのテーブルとして表示する方法および装置に関する。
【背景技術】
【０００２】
歴史的または履歴的な事項を、年表データとして記述し、年表形式で表示することが考えられている。
【０００３】
例えば、特許文献１（特開平１１−２４９６４０号公報）には、日時データと事象データとの対からなる年表データによって、ユーザの誕生から今に至るまでの履歴を、０歳から４歳までの期間、５歳から９歳までの期間、１０歳から１４歳までの期間、というような数年ごとの期間に分けて、表示することが示されている。
【０００４】
また、特許文献２（特開２００４−３２８２６５号公報）には、サムネイル画像のような複数の画像を、それぞれに関連した時刻を付加して記憶し、画面上に設定した時間軸上の、それぞれの画像に関連した時刻に対応した位置の近傍に配置し、時間に対応した順序と間隔で表示することが示されている。
【０００５】
さらに、特許文献３（特開２００６−１５３９６５号公報）には、年、月、週、日、時刻という時間単位による時間軸で期間ごとに区画された表示領域に、それぞれの時間単位に対応するサムネイル画像を表示し、大きい時間単位から小さい時間単位に切り替わるときには、当該の時間単位の指定期間の表示領域を拡大した中間画面を表示することが示されている。
【０００６】
上に挙げた先行技術文献は、以下の通りである。
【特許文献１】特開平１１−２４９６４０号公報
【特許文献２】特開２００４−３２８２６５号公報
【特許文献３】特開２００６−１５３９６５号公報
【発明の開示】
【発明が解決しようとする課題】
【０００７】
上記のように年表を表示する場合、画面上の所定寸法幅あたりの時間長を変えて、所定寸法幅あたりの時間長を大きくしたズームアウト表示モード、および所定寸法幅あたりの時間長を小さくしたズームイン表示モードを、選択的に取り得るようにすることが考えられる。
【０００８】
例えば、ズームアウト表示モードでは、ある事象や対象に係るズームアウト表示用の年表データによって、画面の所定領域内に１０年分の年表を表示し、ズームイン表示モードでは、同じ事象や対象に係るズームイン表示用の年表データによって、同じ領域内に１年分の年表を表示する。
【０００９】
しかし、この場合、ズームアウト表示モードからズームイン表示モードに切り替えたとき、または逆にズームイン表示モードからズームアウト表示モードに切り替えたとき、全く違う年表に突如入れ替わってしまったように感じられ、同一の事象や対象に係る年表としての一体感が得られなくなる。
【００１０】
そこで、この発明は、年表などのテーブルの表示モードを切り替えたとき、視覚的にシームレスな遷移状態が実現され、同一の事象や対象に係るテーブルとしての一体感が得られるとともに、各ズームレベルのテーブルデザインの対応関係を容易に認識することができるようにしたものである。
【課題を解決するための手段】
【００１１】
この発明のテーブル表示方法は、
軸上に位置づけられる各区間に関連する要素をテーブルとして表示する方法であって、
第１のテーブルデータによって表示画面の所定領域内に相対的に短い区間および当該の区間に関連する要素をテーブル画面として表示する第１の表示モード、および第２のテーブルデータによって前記所定領域内に相対的に長い区間および当該の区間に関連する要素をテーブル画面として表示する第２の表示モード、のうちの指定された方の表示モードによってテーブル画面を表示するとともに、
前記第１の表示モードと前記第２の表示モードとの間で表示モードを切り替えるとき、遷移表示モードとして、前記所定領域内に、前記第１のテーブルデータによるレイヤーと前記第２のテーブルデータによるレイヤーとを、少なくとも一方は半透明にして重ね合わせた状態のテーブル画面を表示することを特徴とする。
【００１２】
上記の構成の、この発明のテーブル表示方法では、第１の表示モードから第２の表示モードに切り替えられ、または逆に第２の表示モードから第１の表示モードに切り替えられるとき、遷移表示モードとして、第１のテーブルデータによるレイヤーと第２のテーブルデータによるレイヤーとが、少なくとも一方は半透明にされて重ね合わされた状態のテーブル画面が表示されるので、視覚的にシームレスな遷移状態が実現され、同一の事象や対象に係るテーブルとしての一体感が得られるとともに、各ズームレベルのテーブルデザインの対応関係を容易に認識することができるようになる。
【発明の効果】
【００１３】
以上のように、この発明によれば、年表などのテーブルの表示モードを切り替えたとき、視覚的にシームレスな遷移状態が実現され、同一の事象や対象に係るテーブルとしての一体感が得られるとともに、各ズームレベルのテーブルデザインの対応関係を容易に認識することができるようになる。
【発明を実施するための最良の形態】
【００１４】
［１．システム構成：図１］
図１は、この発明の方法によって年表を表示するシステムの一例を示す。
【００１５】
この例のシステムでは、ユーザ側の情報処理装置１０がインターネット１００を介してサーバ９１に接続される。
【００１６】
情報処理装置１０は、情報を処理し、インターネット１００に接続する機能を備えるとともに、音楽データによって音楽を再生し、画像データによって画像を再生する機能を備えるものである。
【００１７】
具体的に、情報処理装置１０は、ＣＰＵ１１を備え、そのバス１２には、年表表示用プログラムを含む各種プログラムや各種の固定データが書き込まれるＲＯＭ１３、およびプログラムやデータが展開されるＲＡＭ１４が接続される。
【００１８】
また、バス１２には、記憶装置部１５および操作部１６が接続されるとともに、表示処理部２１を介してディスプレイ２２が接続され、音声処理部２３を介して音声出力部２４が接続される。
【００１９】
記憶装置部１５は、情報処理装置１０に内蔵される半導体メモリやハードディスクなどの内部記憶装置、または情報処理装置１０に装着接続される光ディスクなどの外部記憶装置で、各種のコンテンツデータや年表データなどのデータを記録保存するものである。
【００２０】
表示処理部２１は、画像データや年表データなどを処理するものであり、ディスプレイ２２は、画像や年表などが表示される液晶ディスプレイや有機ＥＬディスプレイなどであり、音声処理部２３は、音楽データなどの音声データを処理するものであり、音声出力部２４は、音声増幅回路およびスピーカ（ヘッドホン）である。
【００２１】
さらに、バス１２には、インターネット１００に接続するための外部インタフェース２５が接続される。
【００２２】
サーバ９１は、Ｗｅｂサイト上のＷｅｂサービスなどとして、各種の年表やコンテンツなどを提供し、情報処理装置１０からの要求に応じて情報処理装置１０に、年表データやコンテンツデータなどのデータを送信するもので、これには、各種の年表データやコンテンツデータなどのデータが蓄積されるネットワークストレージ９２が接続される。
【００２３】
［２．年表表示方法：図２〜図１０］
図１の例のシステムでは、情報処理装置１０は、記憶装置部１５に記録されている年表データ、またはサーバ９１によってインターネット１００上で提供される年表データによって、以下のように年表を表示する。
【００２４】
（２−１．ズームアウト表示およびズームイン表示：図２および図３）
この発明の方法では、ユーザは、同一の事象や対象に係る年表の表示モードとして、ズームアウト表示モードおよびズームイン表示モードを選択できるようにする。
【００２５】
情報処理装置１０のＣＰＵ１１は、ズームアウト表示モードが選択されたときには、ズームアウト表示用の年表データによって年表を表示し、ズームイン表示モードが選択されたときには、ズームイン表示用の年表データによって年表を表示する。
【００２６】
ズームアウト表示用の年表データ、およびズームイン表示用の年表データは、あらかじめ記憶装置部１５に記録され、またはインターネット１００を介してサーバ９１から送信される。
【００２７】
一例として、「大白マリ」というアーティストに係る年表のデータとして、図２に示すように、１９８０年代（１９８０〜１９８９年）後半から２０００年代（２０００〜２００９年）前半にかけての期間に関連する概略的な要素５ａ，５ｂ，５ｃとして、１９８０年代後半はアマチュア時代であったこと、１９９０年代はメジャーデビューして数々のヒット曲を出したこと、および２０００年代前半は円熟期に達して新境地を開拓したことを示すズームアウト表示用の年表データと、図３に示すように、上記の１９８０年代後半から２０００年代前半にかけての期間に関連する詳細な要素６ａ〜６ｈなどとして、発売された曲のタイトルおよび発売年月を示すズームイン表示用の年表データとが用意される。
【００２８】
図２は、ズームアウト表示モードとして、上記のズームアウト表示用の年表データによって、上記の１９８０年代後半から２０００年代前半にかけての期間、および当該期間に関連する要素５ａ，５ｂ，５ｃが表示された状態を示し、図３は、ズームイン表示モードとして、上記のズームイン表示用の年表データによって、１９９２年末から１９９８年初頭にかけての期間、および当該期間に関連する要素６ａ〜６ｈが表示された状態を示す。
【００２９】
いずれの場合も、年表表示画面１には、表題部２、時間軸３、要素表示部４および付属情報表示部７が設けられ、表題部２の右側部分に、ズームアウト表示モードに切り替えるためのボタン２ａ、およびズームイン表示モードに切り替えるためのボタン２ｂが表示され、付属情報表示部７の下側に、スクロールボタン８ａ，８ｂおよびスクロールバー８ｃが設けられる。
【００３０】
そして、ズームアウト表示モードでは、図２に示すように、表題部２に、「大白マリ」というように、表示される年表のタイトルが表示されるとともに、「ズームアウト」というように、そのときの表示モードが表示され、時間軸３としては、例えば、１９９０年代を中心に、１９８０年代、１９９０年代および２０００年代が表示され、要素表示部４には、要素５ａ，５ｂ，５ｃが表示される。
【００３１】
図２の例は、ズームアウト表示用の年表データとして、１９８０年代後半から２０００年代前半にかけての期間に関連する要素５ａ，５ｂ，５ｃしか存在しない場合であるが、ズームアウト表示用の年表データとして、１９８０年代前半以前、または２０００年代後半以後の期間に関連する要素が存在する場合には、図２の状態で、スクロールボタン８ａ，８ｂまたはスクロールバー８ｃを操作することによって、要素表示部４には、１９８０年代前半以前、または２０００年代後半以後の期間に関連する要素が表示されるようになる。
【００３２】
さらに、図２の状態で、ボタン２ｂを操作すると、後述のような遷移表示モードを経て、ズームイン表示モードとなる。
【００３３】
ズームイン表示モードでは、図３に示すように、表題部２に、「大白マリ」というように、表示される年表のタイトルが表示されるとともに、「ズームイン」というように、そのときの表示モードが表示され、時間軸３としては、例えば、１９９５年を中心に、１９９３年、１９９４年、１９９５年、１９９６年および１９９７年が表示され、要素表示部４には、要素６ａ〜６ｈが表示される。
【００３４】
図３の状態で、スクロールボタン８ａ，８ｂまたはスクロールバー８ｃを操作すると、時間軸３として、１９９２年以前の年、または１９９８年以後の年が表示され、要素表示部４には、１９９２年以前の年に関連する要素、または１９９８年以後の年に関連する要素が表示されるようになる。
【００３５】
また、例えば、ズームイン表示用の年表データの各要素に対して、関連する画像や詳細な記述などの付属情報が付加されている場合には、図３のようなズームイン表示モードで、要素表示部４に表示されている、ある要素を指示すると、当該の要素についての上記の付属情報が、付属情報表示部７に表示される。例えば、図３の状態で、要素６ｃを指示すると、付属情報表示部７には、１９９４年６月に発売された「夏に向かって」という曲のジャケット写真および評論が表示される。
【００３６】
さらに、図３のような状態で、ボタン２ａを操作すると、後述のような遷移表示モードを経て、図２に示すようなズームアウト表示モードとなる。
【００３７】
なお、ズームアウト表示モードからズームイン表示モードに切り替えた後のデフォルト状態としては、例えば、図２のように時間軸３の中央部に１９９０年代が表示された状態でボタン２ｂが操作されたときには、図３に示すように時間軸３としては中央に１９９５年が表示された状態とされ、逆にズームイン表示モードからズームアウト表示モードに切り替えた後のデフォルト状態としては、例えば、図３のように時間軸３の中央に１９９５年が表示された状態でボタン２ａが操作されたときには、図２に示すように時間軸３としては中央部に１９９０年代が表示された状態とされる、というように、表示モードを切り替えた後のデフォルト状態は、例えば、ボタン２ｂまたは２ａが操作されたときの表示状態によって決定される。
【００３８】
（２−２．遷移表示モード：図４〜図１０）
図２のようなズームアウト表示モードから図３のようなズームイン表示モードに切り替える場合、および図３のようなズームイン表示モードから図２のようなズームアウト表示モードに切り替える場合、それぞれ、以下のような遷移状態を取るようにする。
【００３９】
＜ズームアウトからズームインへの切り替え時：図２→図４→図５→図６→図３＞
ズームアウト表示モードからズームイン表示モードに切り替える場合には、例えば、図２の状態から、まず、図４および図５に示すように、時間軸３の所定寸法幅あたりの時間長を短縮し、すなわち時間軸３の所定時間長あたりの寸法幅を伸張し、これに伴って、各要素（要素５ａ，５ｂ，５ｃ）の表示幅を拡大する。
【００４０】
時間軸３の所定時間長あたりの寸法幅の伸張、および各要素の表示幅の拡大は、時間の経過に伴って連続的に行い、または、第１段階では図４のように、第２段階では図５のように、というように段階的に行う。
【００４１】
この場合、図４の状態では、要素５ａおよび５ｃが一部しか表示されなくなり、図５の状態では、要素５ａおよび５ｃが表示されなくなる。
【００４２】
次に、図６に示すように、時間軸３の所定時間長あたりの寸法幅を、さらに伸張し、時間軸３として、例えば、年代ではなく、暦年を表示するとともに、要素表示部４には、ズームアウト表示用の年表データによる各要素（要素５ａ，５ｂ，５ｃ）のレイヤーに対してズームイン表示用の年表データによる各要素（要素６ａ〜６ｈなど）のレイヤーを重ね合わせた状態の画面を表示する。
【００４３】
このとき、ズームイン表示用の年表データによる各要素（要素６ａ〜６ｈなど）のレイヤーは半透明にして、これを介して、ズームアウト表示用の年表データによる各要素（要素５ａ，５ｂ，５ｃ、図６の状態では要素５ｂ）が見えるようにする。
【００４４】
ズームイン表示用の年表データによる各要素は、最終的なズームイン表示モードでは、図３のように表示されるが、図６の状態では、それぞれの左端縁が、時間軸３上のそれぞれに対応した時点に位置づけられた状態で、それぞれを表す文字が、縮小されずに、最終的なズームイン表示モードのときと同じ大きさにされ、図６の場合には、要素６ａと要素６ｅとの間の間隙や、要素６ｂと要素６ｆとの間の間隙が、最終的なズームイン表示モードのときに対して狭められ、要素６ｅの右端部に要素６ｈの左端部が重ねられ、要素６ｃの右端部に要素６ｇの左端部が重ねられる。
【００４５】
次に、図６の状態から、時間軸３の所定時間長あたりの寸法幅を、さらに伸張し、ズームイン表示用の年表データによる各要素（要素６ａ〜６ｈなど）の透明度を、連続的または段階的に低くする（透明に近い状態から不透明な状態に変化させる）とともに、ズームアウト表示用の年表データによる各要素（要素５ａ，５ｂ，５ｃ）を消去して、図３のようなズームイン表示モードとする。
【００４６】
ズームアウト表示用の年表データによる各要素（要素５ａ，５ｂ，５ｃ）を消去するにあたっては、その各要素の色および明るさを、背景部分の色および明るさに連続的または段階的に近づけるようにしてもよい。これによれば、ズームアウト表示用の年表データによる各要素（要素５ａ，５ｂ，５ｃ）が、背景に同化しつつ、背景中に消えていくように見える。
【００４７】
また、図６の状態では、ズームアウト表示用の年表データによる各要素（要素５ａ，５ｂ，５ｃ）も半透明にし、その後、その各要素の透明度を連続的または段階的に高くし、その各要素を消去するようにしてもよい。
【００４８】
以上の切り替え方法によれば、視覚的にシームレスな遷移状態が実現され、同一の事象や対象に係る年表としての一体感が得られるとともに、各ズームレベルの年表デザインの対応関係を容易に認識することができる。
【００４９】
＜ズームインからズームアウトへの切り替え時：図３→図７→図８→図２＞
上記の場合とは逆に、ズームイン表示モードからズームアウト表示モードに切り替える場合には、例えば、図３の状態から、まず、図７に示すように、時間軸３の所定寸法幅あたりの時間長を伸張し、すなわち時間軸３の所定時間長あたりの寸法幅を短縮し、これに伴って、各要素（要素６ａ〜６ｈなど）の間の時間軸方向（画面横方向）の間隙を縮小する。
【００５０】
この場合の、時間軸３の所定時間長あたりの寸法幅の短縮、および各要素の間の時間軸方向の間隙の縮小も、時間の経過に伴って連続的または段階的に行う。
【００５１】
次に、図８に示すように、時間軸３の所定時間長あたりの寸法幅を、さらに短縮し、時間軸３として、例えば、暦年だけでなく、年代を表示するとともに、要素表示部４には、ズームイン表示用の年表データによる各要素（要素６ａ〜６ｈなど）のレイヤーに対してズームアウト表示用の年表データによる各要素（要素５ａ，５ｂ，５ｃ）のレイヤーを重ね合わせた状態の画面を表示する。
【００５２】
このとき、ズームアウト表示用の年表データによる各要素（要素５ａ，５ｂ，５ｃ）のレイヤーは半透明にして、これを介して、ズームイン表示用の年表データによる各要素（要素６ａ〜６ｈなど）が見えるようにする。
【００５３】
次に、図８の状態から、時間軸３の所定時間長あたりの寸法幅を、さらに短縮し、時間軸３として、年代のみを表示し、ズームアウト表示用の年表データによる各要素（要素５ａ，５ｂ，５ｃ）の透明度を、連続的または段階的に低くする（透明に近い状態から不透明な状態に変化させる）とともに、ズームイン表示用の年表データによる各要素（要素６ａ〜６ｈなど）を消去して、図２のようなズームアウト表示モードとする。
【００５４】
ズームイン表示用の年表データによる各要素（要素６ａ〜６ｈなど）を消去するにあたっては、その各要素の色および明るさを、背景部分の色および明るさに連続的または段階的に近づけるようにしてもよい。これによれば、ズームイン表示用の年表データによる各要素（要素６ａ〜６ｈなど）が、背景に同化しつつ、背景中に消えていくように見える。
【００５５】
また、図８の状態では、ズームイン表示用の年表データによる各要素（要素６ａ〜６ｈなど）も半透明にし、その後、その各要素の透明度を連続的または段階的に高くし、その各要素を消去するようにしてもよい。
【００５６】
以上の切り替え方法によれば、視覚的にシームレスな遷移状態が実現され、同一の事象や対象に係る年表としての一体感が得られるとともに、各ズームレベルの年表デザインの対応関係を容易に認識することができる。
【００５７】
なお、ズームイン表示モードからズームアウト表示モードに切り替えられるまでの時間は、ズームアウト表示モードからズームイン表示モードに切り替えられるまでの時間と同程度にすることが望ましい。
【００５８】
＜遷移表示モードでＣＰＵが行う表示処理：図９および図１０＞
図９に、ズームアウト表示モードからズームイン表示モードに切り替える際に情報処理装置１０のＣＰＵ１１が行う表示処理の一例を示す。
【００５９】
この例の表示処理では、ステップ３１において、図２のようにズームアウト表示モードで年表を表示した状態で処理を開始して、まずステップ３２で、当該の年表の表示を終了するか否かを判断し、ユーザが年表表示の終了を指示したときや、他の年表を選択し、他の年表の表示を指示したときには、当該の年表の表示を終了するが、そうでないときには、ステップ３３に進んで、ズームイン表示モードに切り替えられたか否かを判断する。
【００６０】
そして、ズームイン表示モードに切り替えられなかったときには、ステップ３３からステップ３２に戻るが、ズームイン表示モードに切り替えられたときには、ステップ３３からステップ３４に進んで、図４および図５に示したように、時間軸３の所定時間長あたりの寸法幅を伸張する。
【００６１】
次に、ステップ３５で、図６に示したように、時間軸３の所定時間長あたりの寸法幅を伸張し、時間軸３として暦年を表示し、ズームアウト表示用の年表データによる各要素のレイヤーに対してズームイン表示用の年表データによる各要素の半透明のレイヤーを重ね合わせた状態の画面を表示する。
【００６２】
次に、ステップ３６で、時間軸３の所定時間長あたりの寸法幅を伸張し、ズームイン表示用の年表データによる各要素の透明度を低減し、ズームアウト表示用の年表データによる各要素を消去して、ステップ４１で示すように、図３のようなズームイン表示モードとする。
【００６３】
図１０に、逆にズームイン表示モードからズームアウト表示モードに切り替える際に情報処理装置１０のＣＰＵ１１が行う表示処理の一例を示す。
【００６４】
この例の表示処理では、ステップ４１において、図３のようにズームイン表示モードで年表を表示した状態で処理を開始して、まずステップ４２で、当該の年表の表示を終了するか否かを判断し、ユーザが年表表示の終了を指示したときや、他の年表を選択し、他の年表の表示を指示したときには、当該の年表の表示を終了するが、そうでないときには、ステップ４３に進んで、ズームアウト表示モードに切り替えられたか否かを判断する。
【００６５】
そして、ズームアウト表示モードに切り替えられなかったときには、ステップ４３からステップ４２に戻るが、ズームアウト表示モードに切り替えられたときには、ステップ４３からステップ４４に進んで、図７に示したように、時間軸３の所定時間長あたりの寸法幅を短縮する。
【００６６】
次に、ステップ４５で、図８に示したように、時間軸３の所定時間長あたりの寸法幅を短縮し、時間軸３として暦年および年代を表示し、ズームイン表示用の年表データによる各要素のレイヤーに対してズームアウト表示用の年表データによる各要素の半透明のレイヤーを重ね合わせた状態の画面を表示する。
【００６７】
次に、ステップ４６で、時間軸３の所定時間長あたりの寸法幅を短縮し、時間軸３として年代のみを表示し、ズームアウト表示用の年表データによる各要素の透明度を低減し、ズームイン表示用の年表データによる各要素を消去して、ステップ３１で示すように、図２のようなズームアウト表示モードとする。
【００６８】
［３．年表以外のテーブルの表示：図１１］
上述した実施形態は、年表を表示する場合であるが、この発明は、年表に限らず、時間的、空間的、地域的または場所的な、または分類上や順位上の、軸上に位置づけられる各区間に関連する要素を、テーブルとして表示する場合に適用することができる。
【００６９】
図１１に、その一例を示す。この例は、音楽の各分野における概略的な事項および著名なアーティストや代表的な曲を、テーブルとして表示する場合である。
【００７０】
テーブルデータとしては、クラシック、ジャズ、ポップスなどの各分野の概略的な事項を要素として示したズームアウト表示用のテーブルデータと、それぞれの分野ごとに著名なアーティストや代表的な曲を要素として示したズームイン表示用のテーブルデータとが存在する。
【００７１】
そして、ズームアウト表示モードでは、図１１の上段に示すように、上記のズームアウト表示用のテーブルデータによって、軸９ｘとしては、クラシック、ジャズ、ポップスなどの各分野を表示し、要素表示部９ｙには、各分野に対応づけて各分野の概略的な事項を表示し、ズームイン表示モードでは、図１１の下段に示すように、上記のズームイン表示用のテーブルデータによって、軸９ｘとしては、例えばジャズという、選択された分野を表示し、要素表示部９ｙには、その分野の著名なアーティストや代表的な曲を、アルファベット順や年代順などに表示する。
【００７２】
この場合にも、上段のズームアウト表示モードから下段のズームイン表示モードに切り替えるときには、上述したような遷移状態を取るようにし、下段のズームイン表示モードから上段のズームアウト表示モードに切り替えるときにも、上述したような遷移状態を取るようにする。
【図面の簡単な説明】
【００７３】
【図１】この発明の方法を実行するシステムの一例を示す図である。
【図２】ズームアウト表示モードでの年表表示の一例を示す図である。
【図３】ズームイン表示モードでの年表表示の一例を示す図である。
【図４】ズームアウト表示モードからズームイン表示モードに切り替える場合の第１の遷移状態を示す図である。
【図５】ズームアウト表示モードからズームイン表示モードに切り替える場合の第２の遷移状態を示す図である。
【図６】ズームアウト表示モードからズームイン表示モードに切り替える場合の第３の遷移状態を示す図である。
【図７】ズームイン表示モードからズームアウト表示モードに切り替える場合の第１の遷移状態を示す図である。
【図８】ズームイン表示モードからズームアウト表示モードに切り替える場合の第２の遷移状態を示す図である。
【図９】ズームアウト表示モードからズームイン表示モードに切り替える際の表示処理の一例を示す図である。
【図１０】ズームイン表示モードからズームアウト表示モードに切り替える際の表示処理の一例を示す図である。
【図１１】年表以外のテーブルを表示する場合の一例を示す図である。
【符号の説明】
【００７４】
主要部については図中に全て記述したので、ここでは省略する。
【図１】
2008077479.tif 000003
【図２】
2008077479.tif 000004
【図３】
2008077479.tif 000005
【図４】
2008077479.tif 000006
【図５】
2008077479.tif 000007
【図６】
2008077479.tif 000008
【図７】
2008077479.tif 000009
【図８】
2008077479.tif 000010
【図９】
2008077479.tif 000011
【図１０】
2008077479.tif 000012
【図１１】
2008077479.tif 000013